(57)【要約】【課題】ユーザの意に反して、通信端末装置の表示部に表示される画面の内容が情報処理装置のユーザに漏れることを防ぐことができる通信端末装置を提供する。【解決手段】通信端末装置は、情報処理装置と通信可能な状態で接続される通信端末装置であって、表示部と、記憶部と、表示部に表示されている表示画像データを取得して、取得した表示画像データを記憶部に記憶させる取得部と、情報処理装置からの要求に応じて、記憶部に記憶されている表示画像データを情報処理装置に送信する送信部と、通信端末装置が予め設定された特定の状態にあるか否かを判定する判定部と、通信端末装置が予め設定された特定の状態にあると判定部により判定されたときに表示部に表示されている表示画像データが、情報処理装置に対して送信されることを阻止する阻止部と、を備える。【選択図】図４
2014071497.tif 000002
【特許請求の範囲】
【請求項１】
情報処理装置と通信可能な状態で接続される通信端末装置であって、
表示部と、
記憶部と、
前記表示部に表示されている表示画像データを取得し、取得した前記表示画像データを前記記憶部に記憶させる取得部と、
前記情報処理装置からの要求に応じて、前記記憶部に記憶されている前記表示画像データを前記情報処理装置に対して送信する送信部と、
前記通信端末装置が予め設定された特定の状態にあるか否かを判定する判定部と、
前記通信端末装置が予め設定された特定の状態にあると前記判定部により判定されたときに前記表示部に表示されている表示画像データが、前記情報処理装置に対して前記送信部により送信されることを阻止する阻止部と、を備える
通信端末装置。
【請求項２】
さらに、
ユーザからの操作を受け付ける操作部を備え、
前記判定部は、ユーザにより前記操作部が操作されている場合、前記通信端末装置が予め設定された特定の状態にあると判定する
請求項１に記載の通信端末装置。
【請求項３】
前記判定部は、宛先表に対する宛先の登録または変更のための操作と、ユーザが前記通信端末装置にログインするためのパスワードの登録または変更のための操作と、の少なくとも一方の操作を前記操作部が受け付けている場合、前記通信端末装置が予め設定された特定の状態にあると判定する
請求項２に記載の通信端末装置。
【請求項４】
前記判定部は、前記操作部がパスワードの入力を受け付けている場合、前記通信端末装置が予め設定された特定の状態にあると判定する
請求項２または３に記載の通信端末装置。
【請求項５】
さらに、
原稿の読取りを行う読取部を備え、
前記判定部は、前記読取りの結果が前記表示部にプレビュー表示されている場合、前記通信端末装置が予め設定された特定の状態にあると判定する
請求項１から４のいずれか１項に記載の通信端末装置。
【請求項６】
前記判定部は、ユーザが前記通信端末装置に対してログイン中である場合、前記通信端末装置が予め設定された特定の状態にあると判定する
請求項１から５のいずれか１項に記載の通信端末装置。
【請求項７】
前記取得部は、前記表示部に表示されている表示画像データを予め定められた時間間隔で取得し、前記記憶部に記憶されている前記表示画像データを、前記予め定められた時間間隔で取得した表示画像データに随時更新し、
前記阻止部は、前記通信端末装置が予め設定された特定の状態にあると前記判定部により判定された場合、前記記憶部に記憶されている前記表示画像データを前記取得部に更新させないことにより、前記通信端末装置が予め設定された特定の状態にあるときに前記表示部に表示されている前記表示画像データが、前記情報処理装置に対して送信部により送信されることを阻止する
請求項１から６のいずれか１項に記載の通信端末装置。
【請求項８】
前記取得部は、前記記憶部に記憶されている前記表示画像データを、前記表示部に表示されている表示画像データに、前記表示部に表示されている表示画像データが更新される度に更新し、
前記阻止部は、前記通信端末装置が予め設定された特定の状態にあると前記判定部により判定された場合、前記記憶部に記憶されている前記表示画像データを前記取得部に更新させないことにより、前記通信端末装置が予め設定された特定の状態にあるときに前記表示部に表示されている前記表示画像データが、前記情報処理装置に対して送信部により送信されることを阻止する
請求項１から６のいずれか１項に記載の通信端末装置。
【請求項９】
前記送信部は、さらに、前記通信端末装置が予め設定された特定の状態にあると前記判定部により判定された場合、前記通信端末装置が予め設定された特定の状態にあることを示す状態情報を、前記情報処理装置に対して送信する
請求項１から８のいずれか１項に記載の通信端末装置。
【請求項１０】
前記送信部は、前記状態情報を前記情報処理装置に対して送信するとき、前記状態情報とともに前記記憶部に記憶されている前記表示画像データを前記情報処理装置に対して送信する
請求項９に記載の通信端末装置。
【請求項１１】
前記送信部は、さらに、前記表示部に表示されている表示画像データを前記取得部が取得できなかった場合、前記表示画像データを取得できなかったことを示す取得不可情報を、前記情報処理装置に対して送信する
請求項１から１０のいずれか１項に記載の通信端末装置。
【請求項１２】
前記送信部は、前記取得不可情報を前記情報処理装置に対して送信するとき、前記取得不可情報とともに前記記憶部に記憶されている前記表示画像データを前記情報処理装置に対して送信する
請求項１１に記載の通信端末装置。
【請求項１３】
前記送信部は、さらに、前記表示部に表示されている表示画像データを前記取得部が未だ取得していない場合、前記表示画像データが未だ取得されていないことを示す画像未取得情報を、前記情報処理装置に対して送信する
請求項１から１２のいずれか１項に記載の通信端末装置。
【請求項１４】
さらに、
操作ボタンおよび表示ランプを有する操作パネルを、備え、
前記取得部は、さらに、前記表示ランプに表示される前記通信端末装置の通信端末状態を示す端末状態情報を取得し、
前記送信部は、さらに、前記取得部により取得された前記端末状態情報を情報処理装置に対して送信する
請求項１に記載の通信端末装置。
【請求項１５】
通信端末装置と、前記通信端末装置と通信可能な状態で接続される情報処理装置とを備える情報処理システムであって、
前記通信端末装置は、
第一表示部と、
記憶部と、
前記第一表示部に表示されている表示画像データを取得して、取得した前記表示画像データを前記記憶部に記憶させる取得部と、
前記情報処理装置からの要求に応じて、前記記憶部に記憶されている前記表示画像データを前記情報処理装置に対して送信する送信部と、
前記通信端末装置が予め設定された特定の状態にあるか否かを判定する判定部と、
前記通信端末装置が予め設定された特定の状態にあると前記判定部により判定されたときに前記表示部に表示されている表示画像データが、前記情報処理装置に対して送信部により送信されることを阻止する阻止部と、を備え、
前記情報処理装置は、
第二表示部と、
前記送信部により送信された前記表示画像データを受信する受信部と、
前記受信部により受信された前記表示画像データを前記第二表示部に表示させる表示制御部と、を備える
情報処理システム。
【請求項１６】
前記通信端末装置は、さらに、
少なくとも表示ランプを有する操作パネルを備え、
前記取得部は、さらに、前記表示ランプに表示される前記通信端末装置の通信端末状態を示す端末状態情報を取得し、
前記送信部は、さらに、前記取得部により取得された前記端末状態情報の少なくとも一方を情報処理装置に対して送信し、
前記情報処理装置は、さらに、
前記情報処理装置に接続される前記通信端末装置の機種に関する情報である機種情報を当該通信端末装置から取得する機種情報取得部を備え、
前記受信部は、さらに、前記送信部により送信された前記端末状態情報を受信し、
前記表示制御部は、前記機種情報取得部により取得された前記機種情報に基づいて当該機種情報に対応した通信端末装置の前記操作パネルの外観を示す操作パネル画像を生成し、前記受信部により受信された前記端末状態情報を用いて、前記操作パネルに表示されている表示ランプの状態を前記操作パネル画像に再現して前記第二表示部に表示させる
請求項１５に記載の情報処理システム。
【請求項１７】
通信端末装置の表示部に表示されている表示画像データを、前記通信端末装置に通信可能な状態で接続される情報処理装置に対して送信する画像送信方法であって、
前記表示部に表示されている前記表示画像データを取得する取得ステップと、
前記取得ステップにおいて取得された表示画像データを前記通信端末装置の記憶部に記憶させる記憶ステップと、
前記情報処理装置からの要求に応じて、前記記憶部に記憶されている前記表示画像データを前記情報処理装置に対して送信する送信ステップと、
前記通信端末装置が予め設定された特定の状態にあるか否かを判定する判定ステップと、
前記通信端末装置が予め設定された特定の状態にあると前記判定ステップにおいて判定されたときに前記表示部に表示されている表示画像データが、前記情報処理装置に対して送信部により送信されることを阻止する阻止ステップと、を含む
画像送信方法。
【請求項１８】
請求項１７に記載の各ステップをコンピュータに処理させるためのプログラム。
【請求項１９】
情報処理装置と通信可能な状態で接続されており、表示部を有する通信端末装置の集積回路であって、
記憶部と、
前記表示部に表示されている表示画像データを取得し、取得した前記表示画像データを前記記憶部に記憶させる取得部と、
前記情報処理装置からの要求に応じて、前記記憶部に記憶されている前記表示画像データを前記情報処理装置に対して送信する送信部と、
前記通信端末装置が予め設定された特定の状態にあるか否かを判定する判定部と、
前記通信端末装置が予め設定された特定の状態にあると前記判定部により判定されたときに前記表示部に表示されている表示画像データが、前記情報処理装置に対して前記送信部により送信されることを阻止する阻止部と、を備える
集積回路。
【発明の詳細な説明】
【技術分野】
【０００１】
本発明は、情報処理装置と通信可能な状態で接続される通信端末装置、当該通信端末装置を含む情報処理システム、および当該通信端末装置による画像送信方法に関するものである。
【背景技術】
【０００２】
ＭＦＰ（Ｍｕｌｔｉｆｕｎｃｔｉｏｎ  Ｐｅｒｉｐｈｅｒａｌ）等の通信端末装置とネットワークを介して接続された情報処理装置（ＰＣ：Ｐｅｒｓｏｎａｌ  Ｃｏｍｐｕｔｅｒ）が当該通信端末装置からステータス情報を取得することにより、情報処理装置の表示部において、取得したステータス情報が示す通信端末装置のステータスを表示することが行われている。なお、通信端末装置のステータスは、例えば、通信端末装置の現在のエラー状況等である。これにより、情報処理装置のユーザは、通信端末装置から離れた位置で当該通信端末装置のステータスを知ることができる。このため、例えば、ＭＦＰが設置されている場所から離れた位置にいるサービスマンが、情報処理装置を利用することでＭＦＰのエラー状況を把握できる。したがって、エラーが発生しているＭＦＰが設置されている場所にサービスマンが移動しなくても、サービスマンがＭＦＰのエラーに対する対応をＭＦＰのユーザに教えることができ、サービスマンがエラーに対応する時間を削減できる。
【０００３】
例えば、通信端末装置がウェブサーバを備える構成である場合、情報処理装置は、ウェブブラウザを介して当該ウェブサーバにアクセスすることにより、通信端末装置のステータスを取得して、取得したステータスを表示させる。このときの表示内容は、ウェブブラウザにおけるステータス表示のための専用画面で表示されるため、そのときの通信端末装置の表示部における表示内容とは表示形態が全く異なる。そのためサービスマンは、通信端末装置の表示部に現在表示されている内容を容易に把握できず、通信端末装置の現在のステータスを把握し難いという問題がある。
【０００４】
そこで、特許文献１の技術では、通信端末装置が備える表示部に表示される画像と同一の画像を含んだウェブページを、情報処理装置に対して送信している。これにより、通信端末装置の表示部に表示される画像と同一の画像を、通信端末装置が設置されている場所から離れた場所にある情報処理装置で確認できるようにしている。
【先行技術文献】
【特許文献】
【０００５】
【特許文献１】特開２０１２−１４２８０号公報
【発明の概要】
【発明が解決しようとする課題】
【０００６】
しかしながら、特許文献１の技術では、通信端末装置のユーザが情報処理装置のユーザに公開したくない内容を含む画像データまでも、通信端末装置から情報処理装置へ送信されてしまうことがある。つまり、特許文献１の技術では、通信端末装置のユーザの意に反して、表示部に表示される画面の内容が情報処理装置のユーザに漏れてしまうことは考慮されていない。
【０００７】
そこで、本発明は、このような状況に鑑みてなされたものであり、通信端末装置のユーザの意に反して、通信端末装置の表示部に表示される画面の内容が情報処理装置のユーザに漏れることを防ぐことができる通信端末装置等を提供することを目的とする。
【課題を解決するための手段】
【０００８】
上記目的を達成するために、本発明の一態様に係る通信端末装置は、情報処理装置と通信可能な状態で接続される通信端末装置であって、表示部と、記憶部と、前記表示部に表示されている表示画像データを取得し、取得した前記表示画像データを前記記憶部に記憶させる取得部と、前記情報処理装置からの要求に応じて、前記記憶部に記憶されている前記表示画像データを前記情報処理装置に対して送信する送信部と、前記通信端末装置が予め設定された特定の状態にあるか否かを判定する判定部と、前記通信端末装置が予め設定された特定の状態にあると前記判定部により判定されたときに前記表示部に表示されている表示画像データが、前記情報処理装置に対して前記送信部により送信されることを阻止する阻止部と、を備える。
【０００９】
これによれば、通信端末装置が予め設定された特定の状態にあるときに表示部に表示されている表示画像データが情報処理装置に対して送信部により送信されることを防ぐことができる。このため、当該表示画像データが示す画面の内容が情報処理装置のユーザに漏れてしまうことを防ぐことができる。
【００１０】
また、例えば、さらに、ユーザからの操作を受け付ける操作部を備え、前記判定部は、ユーザにより前記操作部が操作されている場合、前記通信端末装置が予め設定された特定の状態にあると判定してもよい。
【００１１】
このため、ユーザにより操作部の操作が行われている場合に表示部に表示されている表示画像データが情報処理装置に対して送信部により送信されることを防ぐことができる。
【００１２】
また、例えば、前記判定部は、宛先表に対する宛先の登録または変更のための操作と、ユーザが前記通信端末装置にログインするためのパスワードの登録または変更のための操作と、の少なくとも一方の操作を前記操作部が受け付けている場合、前記通信端末装置が予め設定された特定の状態にあると判定してもよい。
【００１３】
これによれば、以下に示す操作が操作部により受け付けられているときに表示部に表示されている表示画像データが情報処理装置に対して送信部により送信されることを阻止する。その操作とは、宛先表に対する宛先の登録または変更のための操作と、ユーザが通信端末装置にログインするためのパスワードの登録または変更のための操作とである。このため、宛先表に登録されている内容、または、パスワードが情報処理装置のユーザに漏れてしまうことを防ぐことができる。
【００１４】
また、例えば、前記判定部は、前記操作部がパスワードの入力を受け付けている場合、前記通信端末装置が予め設定された特定の状態にあると判定してもよい。
【００１５】
これによれば、操作部がパスワードの入力を受け付けているときに表示部に表示されている表示画像データが情報処理装置に対して送信部により送信されることを阻止する。ここで、パスワードの入力の際には、例えば、表示部にはパスワードそのものが表示されずに、パスワードの桁数に対応する数の記号（例えば「＊」）が表示されることになる。そして、このときの表示画像データが取得されれば、「＊」の数を数えることによりパスワードの桁数を情報処理装置のユーザが知ることができる。また、パスワードの入力の際には、表示部にはパスワードそのものが表示される場合も考えられ、このときの表示画像データが取得されればパスワードそのものを情報処理装置のユーザが知ることができる。つまり、本発明の一態様に係る通信端末装置では、パスワードの桁数またはパスワードが情報処理装置のユーザに漏れてしまうことを防ぐことができる。
【００１６】
また、例えば、さらに、原稿の読取りを行う読取部を備え、前記判定部は、前記読取りの結果が前記表示部にプレビュー表示されている場合、前記通信端末装置が予め設定された特定の状態にあると判定してもよい。
【００１７】
これによれば、読取りの結果が表示部にプレビュー表示されているときの表示画像データが情報処理装置に対して送信部により送信されることを阻止する。このため、読み取られた原稿の内容が情報処理装置のユーザに漏れてしまうことを防ぐことができる。
【００１８】
また、例えば、前記判定部は、ユーザが前記通信端末装置に対してログイン中である場合、前記通信端末装置が予め設定された特定の状態にあると判定してもよい。
【００１９】
これによれば、ユーザが通信端末装置に対してログイン中であるときに表示されている表示画像データが情報処理装置に対して送信部により送信されることを阻止する。このため、例えば、ログイン中に表示部に表示されているユーザ専用画面の内容が情報処理装置のユーザに漏れてしまうことを防ぐことができる。
【００２０】
また、例えば、前記取得部は、前記表示部に表示されている表示画像データを予め定められた時間間隔で取得し、前記記憶部に記憶されている前記表示画像データを、前記予め定められた時間間隔で取得した表示画像データに随時更新し、前記阻止部は、前記通信端末装置が予め設定された特定の状態にあると前記判定部により判定された場合、前記記憶部に記憶されている前記表示画像データを前記取得部に更新させないことにより、前記通信端末装置が予め設定された特定の状態にあるときに前記表示部に表示されている前記表示画像データが、前記情報処理装置に対して送信部により送信されることを阻止してもよい。また、例えば、前記取得部は、前記記憶部に記憶されている前記表示画像データを、前記表示部に表示されている表示画像データに、前記表示部に表示されている表示画像データが更新される度に更新し、前記阻止部は、前記通信端末装置が予め設定された特定の状態にあると前記判定部により判定された場合、前記記憶部に記憶されている前記表示画像データを前記取得部に更新させないことにより、前記通信端末装置が予め設定された特定の状態にあるときに前記表示部に表示されている前記表示画像データが、前記情報処理装置に対して送信部により送信されることを阻止してもよい。
【００２１】
これによれば、阻止部は、通信端末装置が予め設定された特定の状態にあると判定部により判定された場合、記憶部に記憶されている表示画像データを更新させない。このため、通信端末装置が予め設定された特定の状態にあるときに表示部に表示されている表示画像データが情報処理装置に対して送信部により送信されることを防ぐことができる。
【００２２】
また、例えば、前記送信部は、さらに、前記通信端末装置が予め設定された特定の状態にあると前記判定部により判定された場合、前記通信端末装置が予め設定された特定の状態にあることを示す状態情報を、前記情報処理装置に対して送信してもよい。
【００２３】
このため、情報処理装置のユーザは、通信端末装置の状態が、そのときに表示部に表示されている表示画像データに更新できない状態であることを知ることができる。
【００２４】
また、例えば、前記送信部は、前記状態情報を前記情報処理装置に対して送信するとき、前記状態情報とともに前記記憶部に記憶されている前記表示画像データを前記情報処理装置に対して送信してもよい。
【００２５】
このため、情報処理装置のユーザは、通信端末装置が、そのときに表示部に表示されている表示画像データを更新できない状態にあることとともに、更新できない状態になる前の最新の表示画像データの内容を知ることができる。
【００２６】
また、例えば、前記送信部は、さらに、前記表示部に表示されている表示画像データを前記取得部が取得できなかった場合、前記表示画像データを取得できなかったことを示す取得不可情報を、前記情報処理装置に対して送信してもよい。
【００２７】
このため、情報処理装置のユーザは、通信端末装置が表示画像データを取得できなかったことを知ることができる。
【００２８】
また、例えば、前記送信部は、前記取得不可情報を前記情報処理装置に対して送信するとき、前記取得不可情報とともに前記記憶部に記憶されている前記表示画像データを前記情報処理装置に対して送信してもよい。
【００２９】
このため、情報処理装置のユーザは、通信端末装置が表示画像データを取得できなかったこととともに、表示画像データが取得できなくなる前の最新の表示画像データの内容を知ることができる。
【００３０】
また、例えば、前記送信部は、さらに、前記表示部に表示されている表示画像データを前記取得部が未だ取得していない場合、前記表示画像データが未だ取得されていないことを示す画像未取得情報を、前記情報処理装置に対して送信してもよい。
【００３１】
このため、情報処理装置のユーザは、通信端末装置において未だ表示画像データが表示部に表示されていない状態であることを知ることができる。
【００３２】
また、例えば、さらに、操作ボタンおよび表示ランプを有する操作パネルを、備え、前記取得部は、さらに、前記表示ランプに表示される前記通信端末装置の通信端末状態を示す端末状態情報を取得し、前記送信部は、さらに、前記取得部により取得された前記端末状態情報を情報処理装置に対して送信してもよい。
【００３３】
なお、これらの全般的または具体的な態様は、システム、方法、集積回路、コンピュータプログラムまたはコンピュータ読み取り可能なＣＤ−ＲＯＭなどの記録媒体で実現されてもよい。また、これらの全般的または具体的な態様は、システム、方法、集積回路、コンピュータプログラムおよび記録媒体の任意な組み合わせで実現されてもよい。
【発明の効果】
【００３４】
本発明に係る通信端末装置および画像送信方法によれば、表示部に表示されている表示画像データが情報処理装置に対して送信部により送信されることを防ぐことができ、当該表示画像データが示す画面の内容が情報処理装置のユーザに漏れてしまうことを防ぐことができる。
【図面の簡単な説明】
【００３５】
【図１】本発明の一実施形態に係る情報処理システムの構成の一例を示す図である。
【図２】本実施の形態に係るネットワーク複合機のハードウェア構成を示すブロック図である。
【図３】本実施の形態に係る情報端末のハードウェア構成を示すブロック図である。
【図４】本実施の形態に係るネットワーク複合機の画像送信処理に係る機能構成を示すブロック図である。
【図５】本実施の形態における情報処理システムによる画像送信処理における処理手順を示すフローチャートである。
【図６】図６（ａ）は、ネットワーク複合機の操作パネルの外観を示す図であり、図６（ｂ）は、情報端末のディスプレイに表示される画像について説明するための図である。
【図７】図７（ａ）は、ネットワーク複合機の操作パネルの外観を示す図であり、図７（ｂ）は、ウェブブラウザ上に予め設定された表示領域に表示される画像を示す図である。
【図８】他の実施の形態に係るウェブブラウザ上に予め設定された表示領域に表示される画像を示す図である。
【図９】他の実施の形態に係るネットワーク複合機の画像送信処理に係る機能構成を示すブロック図である。
【発明を実施するための形態】
【００３６】
以下、本発明の一態様に係る通信端末装置および画像送信方法について、図面を参照しながら具体的に説明する。
【００３７】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３８】
（実施の形態）
まず、図１を用いて、本発明の一実施形態に係る情報処理システムの構成の概要について説明する。
【００３９】
図１は、本発明の一実施形態に係る情報処理システム３００の構成の一例を示す図である。
【００４０】
同図に示すように、このワークフローシステムは、ネットワーク複合機１、２、情報端末３、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話交換回線網）５、ＬＡＮ（Ｌｏｃａｌ  Ａｒｅａ  Ｎｅｔｗｏｒｋ）４、６、インターネット７から構成される。
【００４１】
情報端末３は、本実施の形態における情報処理装置として機能するコンピュータである。情報端末３は、本実施の形態では、ネットワーク複合機１またはネットワーク複合機２のユーザからネットワーク複合機に不具合が生じたときに連絡を受けて、当該不具合に対応するサービスマンが使用するパーソナルコンピュータである。つまり、情報端末３は、ネットワーク複合機１またはネットワーク複合機２が設置されている場所とは離れた遠隔地にあり、ＬＡＮ６を介してインターネット７に接続される。
【００４２】
ネットワーク複合機１、２は、スキャナで読み取った書類を、例えば、ＰＳＴＮ５を介して一方から他方へファクシミリ送信すること、ＬＡＮ４およびインターネット７を介して情報端末３へ送信すること、内蔵されるプリンタでプリントアウトすること等ができる。
【００４３】
図２は、本実施の形態に係るネットワーク複合機１、２のハードウェア構成を示すブロック図である。なお、ネットワーク複合機１および２は、同様の構成であるため、以下では、ネットワーク複合機１についてのみ説明する。
【００４４】
なお、本実施の形態では、ネットワーク複合機１と情報端末３とは、ＬＡＮ４、６およびインターネット７を介して接続されるが、このような形態は一例であり、両者はネットワークを介して通信可能な状態で接続されればよく上記の形態には限定されない。
【００４５】
同図に示すように、ネットワーク複合機１は、ＣＰＵ（Ｃｅｎｔｒａｌ  Ｐｒｏｃｅｓｓｉｎｇ  Ｕｎｉｔ）１０、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、モデム１３、ＮＣＵ（Ｎｅｔｗｏｒｋ  Ｃｏｎｔｒｏｌ  Ｕｎｉｔ）１４、操作パネル１５、スキャナ１６、プリンタ１７、およびＬＡＮＩ／Ｆ（ＬＡＮ  Ｉｎｔｅｒｆａｃｅ）１８を備えている。
【００４６】
ＣＰＵ１０は、ＲＯＭ１１に格納された制御プログラム１１１を実行することにより、ネットワーク複合機１の全体を制御する。
【００４７】
ＲＯＭ１１は、ＣＰＵ１０が実行する制御プログラム１１１を保持する読み出し専用メモリである。
【００４８】
ＲＡＭ１２は、ＣＰＵ１０が制御プログラム１１１を実行する際に用いられるワークデータ、スキャナ１６から得られた画像データ等を一時的に保持する読み書き可能なメモリである。
【００４９】
モデム１３は、ＲＡＭ１２に保持された画像データ等をファクシミリ信号に変調して送信し、また外部から受信されたファクシミリ信号をラインデータに復調する。モデム１３は、例えばＧ３規格に準拠したファックスモデムである。
【００５０】
ＮＣＵ１４は、モデム１３とＰＳＴＮ５との接続を制御する網制御装置である。
【００５１】
操作パネル１５は、ユーザからの操作を受け付けるタッチパネル１５１および操作ボタン１５２と、表示ランプ１５３およびディスプレイ１５４とを有する（後述する図６参照）。表示ランプ１５３は、ネットワーク複合機１の状態を表示するためのＬＥＤ等からなるランプであり、点灯、消灯、または点滅の状態を切り換えることや、点灯の色を切り換えることにより、ネットワーク複合機１の状態を表示する。ディスプレイ１５４は、ユーザへの操作ガイド、またはネットワーク複合機１の動作状態を表示する表示装置であり、例えばＬＣＤ（Ｌｉｑｕｉｄ  Ｃｒｙｓｔａｌ  Ｄｉｓｐｌａｙ：液晶表示装置）である。
【００５２】
スキャナ１６は、画像読み取り装置であり、ＣＰＵ１０の制御下で、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのイメージセンサを用いて原稿を光学的に読み取ることによって画像データを生成する。
【００５３】
プリンタ１７は、印刷装置であり、ＣＰＵ１０の制御下で、例えばＲＡＭ１２に保持された画像データによって表される画像イメージを印刷出力する。
【００５４】
ＬＡＮＩ／Ｆ１８は、ネットワーク複合機１とＬＡＮ６とを接続する通信アダプタであり、ＣＰＵ１０の制御下で、例えばＲＡＭ１２に保持された画像データを情報端末３等へ送信する。
【００５５】
図３は、本実施の形態に係る情報端末３のハードウェア構成を示すブロック図である。
【００５６】
情報端末３は、図３に示すように、主に、ＣＰＵ２１、ハードディスク２２、ＲＡＭ２３、入力装置２４、ディスプレイ２５、およびＬＡＮＩ／Ｆ２６から構成される。
【００５７】
ＣＰＵ２１は、ハードディスク２２に格納されたプログラム１２２を実行することにより、情報端末３の全体を制御する。
【００５８】
ハードディスク２２は、プログラム１２２等を格納する。
【００５９】
ＲＡＭ２３は、ＣＰＵ２１がハードディスク２２に格納されているプログラム１２２を実行する際に用いられる各種データを一時的に保持する読み書き可能なメモリである。
【００６０】
入力装置２４は、ユーザからの操作を受け付ける装置であって、キーボードあるいは、マウスやタッチパネル等のポインティングデバイス等である。
【００６１】
ディスプレイ２５は、ＲＡＭ２３から送信されてきたデータを文字や画像として表示するためのＣＲＴディスプレイ、ＬＣＤ、プラズマディスプレイ、あるいは有機ＥＬディスプレイ等である。
【００６２】
ＬＡＮＩ／Ｆ２６は、情報端末３とＬＡＮ６とを接続する通信アダプタである。ＬＡＮＩ／Ｆ２６は、ＣＰＵ２１の制御下で、例えば情報端末３のハードディスク２２に保持されたプログラム１２２、各種データをＬＡＮ６またはインターネット７に接続される他の情報端末（図示せず）などに送信する。ＬＡＮＩ／Ｆ２６はまた、上記他の情報端末、ネットワーク複合機１から情報端末３に送信されてきた各種データを受信する。
【００６３】
図４は、本実施の形態に係るネットワーク複合機１の画像送信処理に係る機能構成を示すブロック図である。つまり、図２および図３に示されるハードウェア構成によって発揮されるネットワーク複合機１および情報端末３の機能のうち、主に本実施の形態の通信端末装置１００および情報処理装置２００の画像送信処理に関わる機能の構成を示すブロック図である。
【００６４】
通信端末装置１００は、機能的には、表示部１０１と、表示制御部１０２と、記憶部１０３と、取得部１０４と、送信部１０５と、判定部１０６と、阻止部１０７と、操作部１０８と、読取部１０９とを備える。通信端末装置１００はまた、情報処理装置２００としての情報端末３と通信可能な状態（例えば、インターネット７など）で接続される。
【００６５】
表示部１０１は、図２におけるディスプレイ１５４によって実現される。
【００６６】
表示制御部１０２は、図２におけるＣＰＵ１０、制御プログラム１１１等によって実現される制御部である。表示制御部１０２は、通信端末装置１００の状態に応じた表示画像データを生成し、表示部１０１に生成した表示画像データを表示させる。つまり、表示制御部１０２は、通信端末装置１００の状態が変化する度に表示画像データを生成し、新たに生成した表示画像データを表示部１０１に表示させる。なお、通信端末装置１００の状態とは、具体的には、操作部１０８がユーザからの操作を受け付けている状態、読取部１０９が原稿の読取りを行っている状態、印刷を行っている状態などである。操作部１０８がユーザからの操作を受け付けている状態は、印刷または読取りなどの設定を受け付けている状態、宛先表に対する宛先の登録または変更が行われている状態、ユーザが通信端末装置にログインするためのパスワードの登録または変更が行われている状態、ユーザが通信端末装置にログインするためのパスワードを入力している状態などである。
【００６７】
記憶部１０３は、図２におけるＲＡＭ２３等によって実現される。記憶部１０３は、取得部１０４によって取得された表示画像データを一時的に記憶するための専用のバッファ領域である。本実施の形態では、記憶部１０３は、一つの画像を示す表示画像データのみ記憶可能である。なお、記憶部１０３は、ＲＡＭによって実現されなくてもよく、不揮発性のＲＯＭ、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）などの記憶装置によって実現されてもよい。
【００６８】
取得部１０４は、図２におけるＣＰＵ１０、制御プログラム１１１等によって実現される制御部である。取得部１０４は、表示部１０１に表示されている表示画像データを予め定められた時間間隔（例えば１０ｓ間隔）で取得して、記憶部１０３に記憶されている表示画像データを、予め定められた時間間隔で取得した表示画像データに記憶部１０３に記憶させる。具体的には、取得部１０４は、表示部１０１に表示されている表示画像データをキャプチャすることにより取得する。
【００６９】
なお、取得部１０４は、キャプチャにより表示画像データを取得することに限らずに、表示制御部１０２が表示部１０１に表示させている表示画像データを直接取得するような構成としてもよい。つまり、表示制御部１０２が表示部１０１に表示させるために生成した表示画像データを一時的に保持しているメモリの中から取得するような構成としてもよい。
【００７０】
また、取得部１０４は、表示部１０１に表示されている表示画像データを予め定められた時間間隔で取得しなくてもよく、表示制御部１０２が表示部１０１に表示させている表示画像データを更新する度に取得するようにしてもよい。つまり、取得部１０４は、表示部１０１に表示されている表示画像データを取得すれば、表示画像データを取得する頻度、タイミングなどは上記の構成に限定されない。
【００７１】
送信部１０５は、図２におけるＣＰＵ１０、制御プログラム１１１、ＬＡＮＩ／Ｆ１８等によって実現される制御部である。送信部１０５は、情報処理装置２００からの要求に応じて、記憶部１０３に記憶されている表示画像データを情報処理装置２００に送信する。
【００７２】
また、送信部１０５は、さらに、通信端末装置１００が予め設定された特定の状態にあると判定部１０６により判定された場合、通信端末装置１００が予め設定された特定の状態にあることを示す状態情報を、情報処理装置２００に対して送信する。このとき、送信部１０５は、状態情報とともに記憶部１０３に記憶されている表示画像データを情報処理装置２００に対して送信する。なお、送信部１０５が状態情報を情報処理装置２００に対して送信することは必須の構成要件ではない。また、送信部１０５は、このときに、状態情報のみを送信し、表示画像データを送信しない構成であってもよい。
【００７３】
判定部１０６は、図２におけるＣＰＵ１０、制御プログラム１１１等によって実現される制御部である。判定部１０６は、通信端末装置１００が予め設定された特定の状態にあるか否かを判定する。なお、ここで、「予め設定された特定の状態」とは、例えば、以下の３つの状態である。
【００７４】
１つ目の状態は、ユーザにより操作部１０８が操作されている状態である。具体的には、１つ目の状態は、宛先表に対する宛先の登録または変更のための操作と、ユーザが通信端末装置１００にログインするためのパスワードの登録または変更のための操作と、の少なくとも一方の操作を操作部１０８が受け付けているときの状態である。また、１つ目の状態は、操作部１０８がパスワードの入力をユーザから受け付けているときの状態としてもよい。
【００７５】
２つ目の状態は、読取部１０９による読取り（スキャン）の結果が表示部１０１にプレビュー表示されているときの状態である。なお、この状態は、読取部１０９による読取りが行われているときの状態であってもよい。
【００７６】
３つ目の状態は、ユーザが通信端末装置１００に対してログイン中であるときの状態である。つまり、ユーザがログイン中であれば、ユーザにより操作部１０８が操作されていなくても、予め設定された特定の状態であると判定部１０６により判定される。
【００７７】
阻止部１０７は、図２におけるＣＰＵ１０、制御プログラム１１１等によって実現される制御部である。阻止部１０７は、通信端末装置１００が予め設定された特定の状態にあると判定部１０６により判定されたときに表示部１０１に表示されている表示画像データが、情報処理装置２００に対して送信部１０５により送信されることを阻止する。具体的には、阻止部１０７は、通信端末装置１００が予め設定された特定の状態にあると判定部１０６により判定された場合、記憶部１０３に記憶されている表示画像データを取得部１０４に更新させない。これにより、阻止部１０７は、通信端末装置１００が予め設定された特定の状態にあるときに表示部１０１に表示されている表示画像データが、情報処理装置２００に対して送信部１０５により送信されることを阻止する。
【００７８】
操作部１０８は、図２における操作パネル１５によって実現される。操作部１０８は、ユーザからの操作を受け付ける。具体的には、操作部１０８は、宛先表の登録および変更のための入力、パスワードの登録および変更のための入力、通信端末装置１００へのログインのための入力、ＦＡＸの送信のための入力、印刷、スキャンおよびコピーの操作のための入力などを受け付ける。
【００７９】
読取部１０９は、図２におけるスキャナ１６によって実現される。読取部１０９は、原稿の読取りを行う。
【００８０】
また、情報処理装置２００は、機能的には、受信部２０１と、表示部２０２と、表示制御部２０３とを備える。
【００８１】
受信部２０１は、図３におけるＬＡＮＩ／Ｆによって実現される。受信部２０１は、通信端末装置１００の送信部１０５により送信された表示画像データを受信する。
【００８２】
表示部２０２は、図３におけるディスプレイ２５によって実現される。
【００８３】
表示制御部２０３は、図３におけるＣＰＵ２１、プログラム１２２等によって実現される制御部である。表示制御部２０３は、受信部２０１により受信された表示画像データを表示部２０２に表示させる。
【００８４】
なお、この場合、通信端末装置１００の表示部１０１は第一表示部として機能し、情報処理装置２００の表示部２０２は第二表示部として機能する。
【００８５】
次に、以上のように構成された本実施の形態における画像送信処理の処理手順について説明する。
【００８６】
図５は、本実施の形態における情報処理システム３００による画像送信処理における処理手順を示すフローチャートである。
【００８７】
まず、画像送信処理は、ネットワーク複合機１の電源が投入された場合に開始される。なお、画像送信処理の開始は、ネットワーク複合機１の電源が投入されたときに限らずに、スタンバイの状態から復帰したときであってもよい。
【００８８】
画像送信処理が開始された直後のような、表示部１０１に表示されている表示画像データを取得部１０４が未だ取得していない場合、送信部１０５は、表示画像データが未だ取得されていないことを示す画像未取得情報を、情報処理装置２００である情報端末３に対して送信する（Ｓ１０１）。ネットワーク複合機１の電源が投入された直後においては、表示部１０１には何も表示されていないため、記憶部１０３には表示画像データが記憶されていない状態である。したがって、このような場合に、取得部１０４は、表示部１０１に表示させるための表示画像データを表示制御部１０２が生成していないことを示す画像未取得情報を、表示画像データを取得できないときに生成して記憶部１０３に記憶させる。これにより、送信部１０５は、このときに記憶部１０３に記憶されている画像未取得情報を情報端末３に対して送信する。なお、画像未取得情報は、画像が取得（キャプチャ）できなかったことを示すメッセージであり、例えば、「画像がまだ取得されていません」などのメッセージである。情報端末３は、画像未取得情報を受信した場合に、当該メッセージを表示部２０２に表示させる。
【００８９】
次に、判定部１０６は、予め定められた時間間隔に到達したか否かを判定する（Ｓ１０２）。具体的には、判定部１０６は、予め定められた時間間隔である１０秒間隔に到達したか否かを判定する。つまり、予め定められた１０秒間隔のタイミングに到達したか否かを判定部１０６は判定する。判定部１０６が予め定められた時間間隔に到達していないと判定した場合（Ｓ１０２：Ｎｏ）、ステップＳ１０２を繰り返す。
【００９０】
そして、判定部１０６は、予め定められた時間間隔に到達したと判定した場合（Ｓ１０２：Ｙｅｓ）、通信端末装置１００としてのネットワーク複合機１の状態が、ユーザがネットワーク複合機１にログイン中であるときの状態（以下、「ログイン状態」とする）であるか否かを判定する（Ｓ１０３）。ネットワーク複合機１の状態がログイン状態であると判定部１０６が判定した場合（Ｓ１０３：Ｙｅｓ）、送信部１０５は、ログイン状態であることを示す状態情報を、情報端末３に対して送信する（Ｓ１０４）。具体的には、この場合、取得部１０４が、ログイン状態であることを示す状態情報を生成し、生成した状態情報を記憶部１０３に記憶させる。これにより、送信部１０５は、このときに記憶部１０３に記憶されている状態情報を情報端末３に対して送信する。ログイン状態であることを示す状態情報は、ログイン中であることを示すメッセージであり、例えば、「ログイン中のため、最新イメージは表示できません」などのメッセージである。なお、取得部１０４が生成した状態情報を記憶部１０３に記憶させるときに、取得部１０４は、記憶部１０３に既に表示画像データが記憶されていれば、当該表示画像データに対して当該メッセージを重畳させた状態となるように表示画像データを更新する。このため、情報端末３の表示部２０２には、ログイン状態になる前に記憶部１０３に記憶されている表示画像データとともに、当該メッセージが表示部２０２に表示される。ログイン状態になる前に記憶部１０３に記憶されている表示画像データは、予め設定された特定の状態になる前に記憶部１０３に記憶されている最新の表示画像データである。
【００９１】
判定部１０６は、ネットワーク複合機１がログイン状態でないと判定した場合（Ｓ１０３：Ｎｏ）、ネットワーク複合機１の状態が、ユーザにより操作部１０８が操作されている状態（以下、「パネル操作状態」とする）であるか否かを判定する（Ｓ１０５）。
【００９２】
ネットワーク複合機１の状態がパネル操作状態であると判定部１０６が判定した場合（Ｓ１０５：Ｙｅｓ）、送信部１０５は、パネル操作状態であることを示す状態情報を、情報端末３に対して送信する（Ｓ１０６）。具体的には、この場合、取得部１０４が、パネル操作状態であることを示す状態情報を生成して、生成した状態情報を記憶部１０３に記憶させる。これにより、送信部１０５は、このときに記憶部１０３に記憶されている状態情報を情報端末３に対して送信する。パネル操作状態であることを示す状態情報は、パネル操作中であることを示すメッセージであり、例えば、「パネル操作中のため、最新イメージは表示できません」などのメッセージである。なお、取得部１０４は、状態情報を記憶させるときに、上述したログイン状態の場合と同様に、記憶部１０３に既に表示画像データが記憶されていれば、当該表示画像データに対して当該メッセージを重畳させた状態となるように表示画像データを更新する。
【００９３】
判定部１０６は、ネットワーク複合機１の状態がパネル操作状態でないと判定した場合（Ｓ１０５：Ｎｏ）、ネットワーク複合機１の状態が、読取部１０９により読取り（スキャン）が行われている状態（以下、「スキャン状態」とする）であるか否かを判定する（Ｓ１０７）。
【００９４】
ネットワーク複合機１の状態がスキャン状態であると判定部１０６が判定した場合（Ｓ１０７：Ｙｅｓ）、送信部１０５は、スキャン状態であることを示す状態情報を、情報端末３に対して送信する（Ｓ１０８）。具体的には、この場合、取得部１０４が、スキャン状態であることを示す状態情報を生成して、生成した状態情報を記憶部１０３に記憶させる。これにより、送信部１０５は、このときに記憶部１０３に記憶されている状態情報を情報端末３に対して送信する。スキャン状態であることを示す状態情報は、スキャン中であることを示すメッセージであり、例えば、「スキャン中のため、最新のイメージは表示できません」などのメッセージである。なお、取得部１０４は、状態情報を記憶させるときに、上述したログイン状態およびパネル操作状態の場合と同様に、記憶部１０３に既に表示画像データが記憶されていれば、当該表示画像データに対して当該メッセージを重畳させた状態となるように表示画像データを更新する。
【００９５】
ネットワーク複合機１の状態がスキャン状態でないと判定部１０６が判定した場合（Ｓ１０７：Ｎｏ）、取得部１０４は、表示部１０１に現在表示されている表示画像データを取得する。そして、取得部１０４は、記憶部１０３に記憶されている表示画像データを、取得した表示画像データに更新する（Ｓ１０９）。
【００９６】
記憶部１０３に記憶されている表示画像データが新しい表示画像データに更新された場合、送信部１０５は、記憶部１０３に記憶されている最新の表示画像データを情報端末３に送信する（Ｓ１１０）。ステップＳ１１０の処理が終了した場合、ステップＳ１０２に戻る。なお、画像送信処理は、ネットワーク複合機１の電源が落とされる、または、ネットワーク複合機１がスタンバイ状態になることにより終了する。
【００９７】
上記のステップＳ１０３〜ステップＳ１０９の処理では、ステップＳ１０３、ステップＳ１０５およびステップＳ１０７においてネットワーク複合機１の状態が予め定められた特定の状態であるか否かを判定している。そして、その判定結果のいずれかが「Ｙｅｓ」である場合には、送信部１０５は、既に記憶部１０３に記憶されている表示画像データとともに、ログイン状態、パネル操作状態、またはスキャン状態であることを示す状態情報を情報端末３に送信する。つまり、判定部１０６がネットワーク複合機１の状態が予め定められた特定の状態であると判定すれば、送信部１０５はそのときに表示部に表示されている表示画像データを送信せずにそれ以前に表示部に表示されていた表示画像データとともに予め設定された特定の状態を示す状態情報を情報端末３に送信することになる。また、その判定結果がいずれも「Ｎｏ」の場合には、記憶部１０３に記憶されている表示画像データが、表示部１０１に現在表示されている表示画像データに更新される。このため、送信部１０５により表示部１０１に現在表示されている表示画像データが情報端末３に送信されることになる。
【００９８】
なお、ステップＳ１０３、ステップＳ１０５およびステップＳ１０７の３つの判定は、予め設定された３つの特定の状態のうちいずれかの状態であることが判定できればよいため、この順番に行われることは必須ではない。また、当該３つの判定は、直列的に行われているが並列処理により行っても構わない。
【００９９】
さらに、上記の画像送信処理では、記憶部１０３に記憶されている表示画像データが更新される度に、送信部１０５が情報端末３に当該表示画像データ（状態情報を含む表示画像データも含む）を送信する構成としているが、これに限らない。つまり、記憶部１０３に記憶されている表示画像データの更新に係る処理と、送信部１０５による記憶部１０３に記憶されている表示画像データの情報端末３への送信に係る処理とは、並列に行われてもよい。この場合には、更新に係る処理の頻度と、送信に係る処理の頻度とが同じ（例えば１０秒間に１回）であることが好ましい。
【０１００】
図６は、ネットワーク複合機１の表示部１０１に表示されている画像が送信されることを説明するための図である。
【０１０１】
図６（ａ）は、ネットワーク複合機１の操作パネル１５の外観を示す図であり、図６（ｂ）は、情報端末３のディスプレイ２５に表示される画像について説明するための図である。
【０１０２】
図６（ａ）に示すように、操作パネル１５は、ユーザからの操作を受け付けるタッチパネル１５１および操作ボタン１５２と、ネットワーク複合機１の状態を表示するための表示ランプ１５３およびディスプレイ１５４とを有する。タッチパネル１５１は、ディスプレイ１５４の表示面においてユーザが指定した位置を検出する入力装置である。
【０１０３】
例えば、ネットワーク複合機１の状態が予め設定された特定の状態にない場合には、図６（ａ）のディスプレイ１５４に表示されている表示画像データが、上述した画像送信処理によりネットワーク複合機１から情報端末３に送信される。そして、図６（ｂ）に示すように、情報端末３のディスプレイ２５において、ウェブブラウザ上の画像４０１の中の予め設定された表示領域４０２に受信した表示画像データを表示させることになる。このとき、情報端末３では、ウェブブラウザを介してネットワーク複合機１が備えるウェブサーバにアクセスすることにより、表示画像データを受信して図６（ｂ）のように表示させる。なお、ネットワーク複合機１はウェブサーバを備えることは必須ではない。例えば、インターネット上の予め定められたウェブサーバに表示画像データを蓄積しておいて、情報端末３が当該ウェブサーバにアクセスすることにより表示画像データを取得するような構成としてもよい。また、情報端末３が直接表示画像データを受信するような構成であってもよい。
【０１０４】
図７は、ネットワーク複合機１の状態がスキャン状態であると判定部１０６により判定された場合に行われる画像送信処理について説明するための図である。
【０１０５】
図７（ａ）は、ネットワーク複合機１の操作パネル１５の外観を示す図であり、図７（ｂ）は、ウェブブラウザ上に予め設定された表示領域４０２に表示される画像を示す図である。ネットワーク複合機１の状態がスキャン状態である場合には、操作パネル１５のディスプレイ１５４には、図７（ａ）のディスプレイ１５４の領域に示すようなスキャン中である状態を示す画像が表示されている。このとき、情報端末３のディスプレイ２５では、ネットワーク複合機１のディスプレイ１５４に表示されている画像とは異なる画像が表示されており、さらに、スキャン状態を示す状態情報（メッセージ）が表示される。図７（ａ）の場合には単なるスキャン中であるが、スキャン中においてはスキャンした原稿の内容をプレビュー表示する場合がある。これによれば、プレビュー表示される可能性がある場合に、その画像を情報端末３に送信せずに、スキャン状態を示すメッセージとともにスキャン状態になる前の最新の画像表示データを表示させる。このため、情報端末３のユーザにスキャンした原稿の内容が漏れることを防ぐことができる。
【０１０６】
なお、図７は、ネットワーク複合機１の状態がスキャン状態であると判定部１０６により判定されたときを示す図である。ネットワーク複合機１の状態がスキャン状態以外の予め設定された特定の状態であるログイン状態またはパネル操作状態の場合においても、スキャン状態と同様に処理される。つまり、ログイン状態またはパネル操作状態の場合に、スキャン状態を示す状態情報（メッセージ）の代わりにログイン状態またはパネル操作状態を示す状態情報（メッセージ）が表示されることになる。
【０１０７】
なお、図示しないが、画像送信処理のステップＳ１０１において、送信部１０５により送信された画像未取得情報を情報端末３の受信部２０１が受信した場合について説明する。画像未取得情報が受信部２０１により受信されれば、表示制御部２０３は、表示画像データが未だ取得されていないことを示すメッセージとともに、表示部２０２のウェブブラウザ上の表示領域４０２に真っ黒な画像を表示させる。
【０１０８】
本実施の形態に係るネットワーク複合機１によれば、ネットワーク複合機１が予め設定された特定の状態にあるときに表示部１０１に表示されている表示画像データが情報端末３に対して送信部１０５により送信されることを防ぐことができる。このため、当該表示画像データが示す画面の内容が情報端末３のユーザに漏れてしまうことを防ぐことができる。
【０１０９】
また、本実施の形態に係るネットワーク複合機１によれば、判定部１０６は、ユーザにより操作部１０８が操作されている状態を、ネットワーク複合機１が予め設定された特定の状態であると判定する。このため、ユーザにより操作部１０８の操作が行われている場合に表示部１０１に表示されている表示画像データが情報端末３に対して送信部１０５により送信されることを防ぐことができる。
【０１１０】
また、本実施形態に係るネットワーク複合機１によれば、以下の操作が操作部１０８により受け付けられているときに表示部１０１に表示されている表示画像データが情報端末に対して送信部１０５により送信されることを阻止する。その操作とは、宛先表に対する宛先の登録または変更のための操作と、ユーザがネットワーク複合機１にログインするためのパスワードの登録または変更のための操作とである。このため、宛先表に登録されている内容、または、パスワードが情報端末３のユーザに漏れてしまうことを防ぐことができる。
【０１１１】
また、本実施の形態に係るネットワーク複合機１によれば、阻止部１０７は、操作部１０８がパスワードの入力を受け付けているときに表示部１０１に表示されている表示画像データが情報端末３に対して送信部１０５により送信されることを阻止する。ここで、パスワードの入力の際には、例えば、表示部にはパスワードそのものが表示されずに、パスワードの桁数に対応する数の記号（例えば「＊」）が表示されることになる。そして、このときの表示画像データが取得されれば、「＊」の数を数えることによりパスワードの桁数を情報端末３のユーザが知ることができる。また、パスワードの入力の際には、表示部１０１にはパスワードそのものが表示される場合も考えられ、このときの表示画像データが取得されればパスワードそのものを情報端末３のユーザが知ることができる。つまり、本発明の一態様に係るネットワーク複合機１では、パスワードの桁数またはパスワードが情報端末３のユーザに漏れてしまうことを防ぐことができる。
【０１１２】
また、本実施の形態に係るネットワーク複合機１によれば、阻止部１０７は、読取りの結果が表示部１０１にプレビュー表示されているときの表示画像データが情報端末３に対して送信部１０５により送信されることを阻止する。このため、読み取られた原稿の内容が情報端末３のユーザに漏れてしまうことを防ぐことができる。
【０１１３】
また、本実施の形態に係るネットワーク複合機１によれば、阻止部１０７は、ユーザがネットワーク複合機１に対してログイン中であるときに表示されている表示画像データが情報端末３に対して送信部１０５により送信されることを阻止する。このため、例えば、ログイン中に表示部１０１に表示されているユーザ専用画面の内容が情報端末３のユーザに漏れてしまうことを防ぐことができる。
【０１１４】
また、本実施の形態に係るネットワーク複合機１によれば、阻止部１０７は、ネットワーク複合機１が予め設定された特定の状態にあると判定部１０６により判定された場合、記憶部１０３に記憶されている表示画像データを更新させない。このため、ネットワーク複合機１が予め設定された特定の状態にあるときに表示部１０１に表示されている表示画像データが情報端末３に対して送信部１０５により送信されることを防ぐことができる。
【０１１５】
また、本実施の形態に係るネットワーク複合機１によれば、送信部１０５は、さらに、ネットワーク複合機１が予め設定された特定の状態にあると判定部１０６により判定された場合、ネットワーク複合機１が予め設定された特定の状態にあることを示す状態情報を、情報端末３に対して送信する。このため、情報端末３のユーザは、ネットワーク複合機１の状態が、そのときに表示部に表示されている表示画像データに更新できない状態であることを知ることができる。
【０１１６】
また、例えば、送信部１０５は、状態情報を情報端末３に対して送信するとき、状態情報とともに記憶部１０３に記憶されている表示画像データを情報端末３に対して送信してもよい。
【０１１７】
このため、情報端末３のユーザは、ネットワーク複合機１が、そのときに表示部１０１に表示されている表示画像データを更新できない状態にあることとともに、更新できない状態になる前の最新の表示画像データの内容を知ることができる。
【０１１８】
また、本実施の形態に係るネットワーク複合機１によれば、送信部１０５は、さらに、表示部１０１に表示されている表示画像データを取得部１０４が未だ取得していない場合、表示画像データが未だ取得されていないことを示す画像未取得情報を、情報端末に対して送信する。このため、情報端末３のユーザは、ネットワーク複合機１において未だ表示画像データが表示部１０１に表示されていない状態であることを知ることができる。
【０１１９】
上記実施の形態に係るネットワーク複合機１では、情報端末３のディスプレイ２５に表示される表示画像データは、ネットワーク複合機１のディスプレイ１５４に表示される表示画像データのみであるが、これに限らない。例えば、図８に示すように、ネットワーク複合機１の操作パネル１５の外観および状態とともに、前記表示画像データを表示させるようにしてもよい。なお、図８は、他の実施の形態に係るウェブブラウザ上に予め設定された表示領域４０２に表示される画像を示す図である。図９は、他の実施の形態に係るネットワーク複合機１の画像送信処理に係る機能構成を示すブロック図である。
【０１２０】
図９に示す他の実施の形態では、上記実施の形態の情報処理システム３００の情報処理装置２００とは、情報処理装置２１０が機種情報取得部２０４を有する構成の情報処理システム３１０であることが異なる。また、取得部１０４および送信部１０５の機能が異なる。このように、情報処理システム３１０は、上記実施の形態の情報処理システム３００とは一部の構成および機能のみが異なり、他の構成および機能は同じであるため、異なる構成および機能についてのみ説明する。
【０１２１】
情報処理システム３１０では、通信端末装置１００において、取得部１０４は、さらに、表示ランプ１５３に表示される通信端末装置１００の通信端末状態を示す端末状態情報を取得する。また、送信部１０５は、さらに、取得部１０４により取得された端末状態情報を情報処理装置２１０に送信する。
【０１２２】
つまり、通信端末装置１００では、取得部１０４が、表示部１０１に表示されている表示画像データとともに、表示ランプ１５３に表示される通信端末装置１００の通信端末状態を示す端末状態情報を取得する。そして、送信部１０５が、取得部により取得された表示画像データおよび端末状態情報を情報処理装置２１０に送信する。このとき、取得部１０４により取得された表示画像データおよび端末状態情報は記憶部１０３に一時的に記憶される。
【０１２３】
情報処理装置２１０は、上述したようにさらに、機種情報取得部２０４を備える。機種情報取得部２０４は、図３におけるＣＰＵ２１、プログラム１２２等によって実現される制御部である。機種情報取得部２０４は、情報処理装置２１０に接続される通信端末装置１００の機種に関する情報である機種情報を通信端末装置１００から取得する。具体的には、機種情報取得部２０４は、通信端末装置１００のＭＡＣアドレスなどの識別子から機種情報を特定することにより、機種情報を取得する。また、受信部２０１は、表示画像データとともに送信されてきた端末状態情報を受信する。そして、表示制御部２０３は、機種情報取得部２０４により取得された機種情報に基づいて当該機種情報に対応した通信端末装置１００の操作パネル１５の外観を示す操作パネル画像を生成する。そして、表示制御部２０３は、さらに、受信部２０１により受信された表示画像データおよび端末状態情報を用いて、操作パネル１５に表示されている表示ランプ１５３の点灯状態を操作パネル画像に再現して表示部２０２の表示領域４０３に表示させる。
【０１２４】
このように、表示画像データだけでなく表示ランプ１５３の点灯状態が再現できるように、通信端末装置１００は、表示画像データとともに端末状態情報を取得して、取得した表示画像データおよび端末状態情報を情報処理装置２１０に送信する。このため、情報処理装置２１０のユーザであるサービスマンは、ネットワーク複合機１の状態の把握を容易にでき、適切な対応をすることができる。
【０１２５】
上記実施の形態に係る通信端末装置１００では、記憶部１０３は、一つの画像を示す表示画像データのみ記憶可能な構成であるが、これに限らずに複数の画像を示す表示画像データを記憶可能な構成としてもよい。この構成の場合には、画像送信処理において通信端末装置１００が予め設定された特定の状態であると判定部１０６が判定したときに、送信部１０５は、当該判定より以前に記憶部１０３に既に記憶されている複数の表示画像データのうちで最新の表示画像データを情報端末３に送信することになる。
【０１２６】
上記実施の形態に係る情報処理システム３００では、状態情報が取得部１０４により生成されたときに、状態情報が示すメッセージを既に記憶部１０３に記憶されている表示画像データが示す画像に重畳する処理を行っているが、これに限らない。つまり、送信部１０５が、状態情報が重畳された表示画像データを情報端末３に送信して、受信した表示画像データを表示制御部２０３が表示部２０２に表示させる構成であるが、これに限らない。例えば、送信部１０５は、状態情報と表示画像データとを一つの表示画像データとして合成されたデータを送信せずに、別々のデータとして送信してもよい。このような場合には、情報端末３において、表示制御部２０３が受信した表示画像データに状態情報が示すメッセージを重畳させて表示部２０２に表示させるようにしてもよい。つまり、状態情報が示すメッセージの重畳を情報端末３側で行うようにしてもよい。
【０１２７】
上記実施の形態に係るネットワーク複合機１では、表示部１０１に表示されている表示画像データを取得部１０４が取得できなかった場合、表示画像データを取得できなかったことを示す取得不可情報を、送信部１０５が情報端末３に対して送信するようにしてもよい。なお、取得部１０４が表示画像データを取得できない場合とは、例えば、表示画像データをビットマップ形式からＪＰＥＧ形式にエンコード処理を行うような場合であって、エンコード処理に失敗したときなどが考えられる。
【０１２８】
このとき、送信部１０５は、取得不可情報とともに記憶部１０３に記憶されている表示画像データを情報端末３に対して送信する。なお、送信部１０５が取得不可情報を情報端末３に対して送信することは必須の構成要件ではない。また、送信部１０５は、取得不可情報のみを送信し、表示画像データを送信しない構成であってもよい。
【０１２９】
上記実施の形態に係るネットワーク複合機１では、阻止部１０７は、記憶部１０３に記憶されている表示画像データを取得部１０４に更新させないことにより、情報処理装置２００に対して当該表示画像データが送信されることを間接的に阻止しているが、これに限らない。つまり、取得部１０４は、予め設定された特定の状態であっても記憶部１０３に記憶されている表示画像データを表示部に表示されている表示画像データに更新する構成であってもよい。この場合に、阻止部１０７は、記憶部１０３に記憶されている表示画像データが情報処理装置２００に対して送信させないための指示情報を送信部１０５に送信することにより、送信部１０５が当該表示画像データを送信することを直接的に阻止する構成である。また、この場合には、さらに、記憶部１０３が２つ以上の表示画像データを記憶しておくことが可能な構成であり、かつ、記憶部１０３に予め設定された特定の状態であるときの表示画像データが記憶されているときには、送信部１０５は、情報処理装置２００に対して、予め設定された特定の状態ではない状態での表示画像データ、すなわち、最新の表示画像データの１つまたは２つ以上前に記憶された表示画像データを送信する構成とすれば、上記実施の形態に係るネットワーク複合機１と同等の効果を奏することができる。
【０１３０】
上記実施の形態に係るネットワーク複合機１では、特に記載しなかったが、取得部１０４が取得する表示画像データは、ビットマップ形式の画像データであってもよいし、画像データに対して圧縮処理した例えばＪＰＥＧ形式の画像データであってもよい。
【０１３１】
なお、本発明を上記実施の形態に基づいて説明してきたが、本発明は、上記の実施の形態に限定されないのはもちろんである。以下のような場合も本発明に含まれる。
【０１３２】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１３３】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１３４】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０１３５】
（４）本発明は、上記に示す方法で実現されてもよい。また、これらの方法をコンピュータにより実現するコンピュータプログラムで実現してもよいし、コンピュータプログラムからなるデジタル信号で実現してもよい。
【０１３６】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したもので実現してもよい。また、これらの記録媒体に記録されているデジタル信号で実現してもよい。
【０１３７】
また、本発明は、コンピュータプログラムまたはデジタル信号を、電気通信回線、無線または有線通信回線、インターネットを代表とするネットワーク、データ放送等を経由して伝送してもよい。
【０１３８】
また、本発明は、マイクロプロセッサとメモリを備えたコンピュータシステムであって、メモリは、コンピュータプログラムを記憶しており、マイクロプロセッサは、コンピュータプログラムにしたがって動作してもよい。
【０１３９】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１４０】
（５）上記実施の形態及び上記変形例をそれぞれ組み合わせるとしてもよい。
【０１４１】
以上、本発明の一つまたは複数の態様に係る通信端末装置等について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１４２】
本発明は、表示部に表示されている表示画像データが情報処理装置に対して送信部により送信されることを防ぐことができ、当該表示画像データが示す画面の内容が情報処理装置のユーザに漏れてしまうことを防ぐことができるネットワーク複合機等として有用である。
【符号の説明】
【０１４３】
１、２  ネットワーク複合機
３  情報端末
４、６  ＬＡＮ
５  ＰＳＴＮ
７  インターネット
１０  ＣＰＵ
１１  ＲＯＭ
１２  ＲＡＭ
１３  モデム
１４  ＮＣＵ
１５  操作パネル
１６  スキャナ
１７  プリンタ
１８  ＬＡＮＩ／Ｆ
２１  ＣＰＵ
２２  ハードディスク
２３  ＲＡＭ
２４  入力装置
２５  ディスプレイ
２６  ＬＡＮＩ／Ｆ
１００  通信端末装置
１０１  表示部
１０２  表示制御部
１０３  記憶部
１０４  取得部
１０５  送信部
１０６  判定部
１０７  阻止部
１０８  操作部
１０９  読取部
１１１  制御プログラム
１２２  プログラム
１５１  タッチパネル
１５２  操作ボタン
１５３  表示ランプ
１５４  ディスプレイ
２００、２１０  情報処理装置
２０１  受信部
２０２  表示部
２０３  表示制御部
２０４  機種情報取得部
３００、３１０  情報処理システム
４０１  画像
４０２、４０３  表示領域
【図１】
2014071497.tif 000003
【図２】
2014071497.tif 000004
【図３】
2014071497.tif 000005
【図４】
2014071497.tif 000006
【図５】
2014071497.tif 000007
【図６】
2014071497.tif 000008
【図７】
2014071497.tif 000009
【図８】
2014071497.tif 000010
【図９】
2014071497.tif 000011